(57)【要約】  目的地を示す情報を受け付ける目的地受付部（１０７）と、目的地受付部（１０７）が受け付けた目的地を示す情報に応じて、当該目的地を示す情報に基づく当該目的地に関連する映像コンテンツを検索するコンテンツ検索部（１０１）と、コンテンツ検索部（１０１）が検索した映像コンテンツの中から選択された映像コンテンツの情報を受け付ける選択受付部（１０８）と、選択受付部（１０８）が受け付けた映像コンテンツに関連付けられた場所を経由地として、目的地までの案内ルートを検索するルート検索部（１０４）と、ルート検索部（１０４）が検索した案内ルートを出力するとともに、当該案内ルート出力中に、選択受付部（１０８）が受け付けた映像コンテンツを出力する出力処理部（１０９）とを備えた。
2018116456.tif 000002
【特許請求の範囲】
【請求項１】
目的地を示す情報を受け付ける目的地受付部と、
前記目的地受付部が受け付けた目的地を示す情報に応じて、当該目的地を示す情報に基づく当該目的地に関連する映像コンテンツを検索するコンテンツ検索部と、
前記コンテンツ検索部が検索した映像コンテンツの中から選択された映像コンテンツの情報を受け付ける選択受付部と、
前記選択受付部が受け付けた映像コンテンツに関連付けられた場所を経由地として、前記目的地までの案内ルートを検索するルート検索部と、
前記ルート検索部が検索した案内ルートを出力するとともに、当該案内ルート出力中に、前記選択受付部が受け付けた映像コンテンツを出力する出力処理部
とを備えたナビゲーション装置。
【請求項２】
前記選択受付部が受け付けた映像コンテンツを取得し再生処理を行う再生処理部を備え、
前記出力処理部は、前記再生処理部が再生処理を行った後の映像コンテンツを出力する
ことを特徴とする請求項１記載のナビゲーション装置。
【請求項３】
前記コンテンツ検索部は、
映像コンテンツに関連付けられた場所の情報を取得する関連場所取得部と、
前記目的地受付部が受け付けた目的地を示す情報に基づく当該目的地の位置、および、前記関連場所取得部が取得した場所の位置を取得する位置取得部と、
前記目的地の位置、および、前記映像コンテンツに関連付けられた場所の位置に基づき、前記目的地に関連する映像コンテンツを判定する比較部とを備えた
ことを特徴とする請求項１記載のナビゲーション装置。
【請求項４】
前記比較部は、
前記目的地から前記映像コンテンツに関連付けられた場所までの距離を算出し、算出した距離が閾値以内となる映像コンテンツを、前記目的地に関連付けられた映像コンテンツであると判定する
ことを特徴とする請求項３記載のナビゲーション装置。
【請求項５】
前記比較部は、
前記目的地から前記映像コンテンツに関連付けられた場所までの所要時間を算出し、算出した所要時間が閾値以内となる映像コンテンツを、前記目的地に関連する映像コンテンツであると判定する
ことを特徴とする請求項３記載のナビゲーション装置。
【請求項６】
前記ルート検索部は、
前記選択受付部が受け付けた映像コンテンツにおいて当該映像コンテンツに関連付けられた場所が登場するシーンの再生時刻と、前記映像コンテンツに関連付けられた場所を通過する通過時刻とが同期するように前記案内ルートを検索する
ことを特徴とする請求項１記載のナビゲーション装置。
【請求項７】
前記映像コンテンツに関連付けられた場所が登場するシーンの再生時刻と、前記映像コンテンツに関連付けられた場所を通過する時刻との同期要否の指示を受け付ける入力受付部を備え、
前記ルート検索部は、
前記入力受付部が同期要とする指示を受け付けた場合に、
前記選択受付部が受け付けた映像コンテンツにおいて、当該映像コンテンツに関連付けられた場所が登場するシーンの再生時刻と、前記映像コンテンツに関連付けられた場所を通過する時刻とが同期するように前記案内ルートを検索する
ことを特徴とする請求項６記載のナビゲーション装置。
【請求項８】
前記ルート検索部は、
前記選択受付部が受け付けた映像コンテンツに関連付けられた場所が複数存在する場合、当該複数の場所の一部またはすべてを経由地として前記案内ルートを検索する
ことを特徴とする請求項１記載のナビゲーション装置。
【請求項９】
前記複数の場所のうち、経由地とする場所の選択を受け付ける入力受付部を備え、
前記ルート検索部は、前記入力受付部が受け付けた場所を経由地として前記案内ルートを検索する
ことを特徴とする請求項８記載のナビゲーション装置。
【請求項１０】
前記目的地までの案内ルートにおいて前記経由地を通過する通過時刻を算出する通過時刻算出部と、
前記選択受付部が受け付けた映像コンテンツを取得し、取得した前記映像コンテンツについて、前記経由地が登場するシーンの再生時刻と、前記通過時刻算出部が算出した当該経由地の通過時刻とが一致するように、前記映像コンテンツの編集を行う編集部とをさらに備え、
前記出力処理部は、前記編集部が編集した後の映像コンテンツを出力する
ことを特徴とする請求項１記載のナビゲーション装置。
【請求項１１】
前記コンテンツ検索部は、前記ナビゲーション装置の外部から取得したコンテンツメタデータに基づき前記目的地に関連する映像コンテンツを検索し、
前記ルート検索部は、前記ナビゲーション装置の外部から取得した地図データに基づき前記目的地までの案内ルートを検索し、
前記出力処理部は、前記ナビゲーション装置の外部から取得したコンテンツデータから取得された、前記選択受付部が受け付けた映像コンテンツを出力する
ことを特徴とする請求項１記載のナビゲーション装置。
【請求項１２】
目的地受付部が、目的地を示す情報を受け付けるステップと、
コンテンツ検索部が、前記目的地受付部が受け付けた目的地を示す情報に応じて、当該目的地を示す情報に基づく当該目的地に関連する映像コンテンツを検索するステップと、
選択受付部が、前記コンテンツ検索部が検索した映像コンテンツの中から選択された映像コンテンツの情報を受け付けるステップと、
ルート検索部が、前記選択受付部が受け付けた映像コンテンツに関連付けられた場所を経由地として、前記目的地までの案内ルートを検索するステップと、
出力処理部が、前記ルート検索部が検索した案内ルートを出力するとともに、当該案内ルートの出力中に、前記選択受付部が受け付けた映像コンテンツを出力するステップ
とを備えたナビゲーション方法。
【発明の詳細な説明】
【技術分野】
【０００１】
この発明は、ユーザに映像コンテンツを提供できるナビゲーション装置に関するものである。
【背景技術】
【０００２】
ナビゲーション装置は、ＧＰＳ（Ｇｌｏｂａｌ  Ｐｏｓｉｔｉｏｎｉｎｇ  Ｓｙｓｔｅｍ）などを利用して、移動体に対して、目的地までの経路案内を行う装置である。【０００３】
ナビゲーション装置には、経路案内の機能の他に、例えば、映像コンテンツを再生する機能を有しているものもある。
映像コンテンツを再生する機能を有しているナビゲーション装置において、当該ナビゲーション装置が再生可能な映像コンテンツを利用する技術として、例えば、特許文献１には、目的地または経由地とするエリアまたはスポットをユーザが選択するための画面において、エリア情報またはスポット情報を、映像で表示する技術が開示されている。
【先行技術文献】
【特許文献】
【０００４】
【特許文献１】特開２０１３−１１３６７４号公報（［００８２］等）
【発明の概要】
【発明が解決しようとする課題】
【０００５】
しかし、特許文献１に開示されたナビゲーション装置は、ユーザが目的地等を選択する際に補助的に提供する情報として、当該ナビゲーション装置により再生可能な映像コンテンツを利用するにとどまる。このように、従来のナビゲーション装置は、案内経路を移動中のユーザに対しては、ナビゲーション装置が再生可能な映像コンテンツを有効に活用した情報提供ができていないという課題があった。【０００６】
この発明は上記のような課題を解決するためになされたもので、案内経路を移動中のユーザに対して、ナビゲーション装置が再生可能な映像コンテンツを有効に活用した情報提供ができるナビゲーション装置を提供すること目的としている。
【課題を解決するための手段】
【０００７】
この発明に係るナビゲーション装置は、目的地を示す情報を受け付ける目的地受付部と、目的地受付部が受け付けた目的地を示す情報に応じて、当該目的地を示す情報に基づく当該目的地に関連する映像コンテンツを検索するコンテンツ検索部と、コンテンツ検索部が検索した映像コンテンツの中から選択された映像コンテンツの情報を受け付ける選択受付部と、選択受付部が受け付けた映像コンテンツに関連付けられた場所を経由地として、目的地までの案内ルートを検索するルート検索部と、ルート検索部が検索した案内ルートを出力するとともに、当該案内ルート出力中に、選択受付部が受け付けた映像コンテンツを出力する出力処理部とを備えたものである。
【発明の効果】
【０００８】
この発明によれば、案内経路を移動中のユーザに対して、ナビゲーション装置が再生可能な映像コンテンツを有効に活用した情報提供ができる。
【図面の簡単な説明】
【０００９】
【図１】この発明の実施の形態１に係るナビゲーション装置の構成図である。
【図２】図２Ａ，図２Ｂは、この発明の実施の形態１に係るナビゲーション装置のハードウェア構成の一例を示す図である。
【図３】この発明の実施の形態１に係るナビゲーション装置の動作を説明するフローチャートである。
【図４】図３のステップＳＴ３０２におけるコンテンツ検索部の動作の詳細を説明するフローチャートである。
【図５】図３のステップＳＴ３０５におけるルート検索部の動作の詳細を説明するフローチャートである。
【図６】図３のステップＳＴ３０６におけるコンテンツ再生部の動作の詳細を説明するフローチャートである。
【図７】この発明の実施の形態２に係るナビゲーション装置の構成図である。
【図８】実施の形態２におけるルート検索部の動作を説明するフローチャートである。
【図９】実施の形態２におけるコンテンツ再生部の動作を説明するフローチャートである。
【図１０】この発明の実施の形態３におけるナビゲーションシステムの概要を示す図である。
【発明を実施するための形態】
【００１０】
以下、この発明の実施の形態について、図面を参照しながら詳細に説明する。
実施の形態１．
【００１１】
この発明の実施の形態１に係るナビゲーション装置１０は、一例として、車両に対して経路案内を行う車載ナビゲーション装置に適用されるものとして、以下説明する。
図１は、この発明の実施の形態１に係るナビゲーション装置１０の構成図である。
ナビゲーション装置１０は、出力装置２０と接続される。出力装置２０は、例えば、ディスプレイ等の表示装置、または、スピーカ等の音声出力装置等である。ナビゲーション装置１０と出力装置２０とは、ネットワークを介して接続されてもよいし、直接接続されてもよい。また、ナビゲーション装置１０が出力装置２０を備えるものであってもよい。
【００１２】
ナビゲーション装置１０は、コンテンツ検索部１０１、地図データベース１０２、メタデータデータベース１０３、ルート検索部１０４、コンテンツ再生部１０５、コンテンツデータベース１０６、目的地受付部１０７、選択受付部１０８、および、出力処理部１０９を備える。
【００１３】
コンテンツ検索部１０１は、メタデータデータベース１０３を参照し、目的地受付部１０７が受け付けた目的地を示す情報に応じて、１または複数の映像コンテンツの中から、当該目的地に関連する映像コンテンツを検索する。コンテンツ検索部１０１は、検索によって目的地に関する映像コンテンツが発見された場合、当該映像コンテンツに関する情報を、コンテンツ検索結果として、出力処理部１０９に出力する。
コンテンツ検索部１０１は、位置取得部１０１１、関連場所取得部１０１２、および、比較部１０１３を備える。
位置取得部１０１１は、目的地受付部１０７が受け付けた目的地を示す情報に基づく当該目的地の位置を、地図データベース１０２から取得する。目的地の位置は、例えば、緯度および経度であらわされる。
また、位置取得部１０１１は、関連場所取得部１０１２が取得した、各映像コンテンツに関連付けられた場所の位置を、地図データベース１０２から取得する。映像コンテンツに関連付けられた場所の位置は、例えば、緯度および経度であらわされる。
【００１４】
映像コンテンツとは、例えば、映画であり、映像コンテンツに関連付けられた場所とは、例えば、当該映画のロケ地である。なお、これに限らず、映像コンテンツとは、例えば、歴史ドキュメンタリーであり、映像コンテンツに関連付けられた場所は、当該歴史ドキュメンタリーに登場する史跡であってもよい。映像コンテンツとは、ある地点に関連する映像コンテンツであればよく、映像コンテンツに関連付けられた場所とは、当該映像コンテンツに関連付けられた、ある地点であればよい。各映像コンテンツに関連付けられた場所は、１箇所でも複数個所でもよい。
【００１５】
関連場所取得部１０１２は、メタデータデータベース１０３を参照し、各映像コンテンツに関連付けられた１または複数の場所の情報を取得する。
【００１６】
比較部１０１３は、位置取得部１０１１が取得した目的地の位置と、各映像コンテンツに関連付けられた場所の位置とに基づき、目的地に近い場所が関連付けられた映像コンテンツを判定し、判定した映像コンテンツをコンテンツ検索結果とする。具体的には、例えば、比較部１０１３は、目的地の位置をあらわす緯度および経度と、各映像コンテンツに関連付けられた場所の位置をあらわす緯度および経度とを用いて、目的地から各映像コンテンツに関連付けられた場所までの距離を算出する。比較部１０１３は、算出した距離が予め設定された閾値以内となる場所があれば、当該場所が関連付けられている映像コンテンツを、目的地に関連付けられた映像コンテンツと判定し、コンテンツ検索結果とする。すなわち、比較部１０１３は、目的地に近い場所が関連付けられている映像コンテンツを、目的地に関連付けられた映像コンテンツであると判定する。
【００１７】
あるいは、例えば、比較部１０１３は、目的地と、映像コンテンツに関連付けられた場所との間でルート検索を実行して、目的地から映像コンテンツに関連付けられた場所までの所要時間を算出するものでもよい。この場合、比較部１０１３は、算出した所要時間が予め定められた閾値以内となる場所があれば、当該場所が関連付けられている映像コンテンツをコンテンツ検索結果とする。
なお、ここでは、比較部１０１３は、目的地に近い場所が関連付けられている映像コンテンツを、目的地に関連付けられた映像コンテンツであると判定するものとするが、目的地に関連付けられた映像コンテンツの判定条件は、これに限らない。例えば、比較部１０１３は、目的地から各映像コンテンツに関連付けられた場所までの距離に加え、その場所が人気のある場所であるかどうかを判定し、目的地に関連付けられた映像コンテンツを判定するようにしてもよい。具体的には、比較部１０１３は、映像コンテンツに関連付けられた場所の訪問者数の情報を図示しないデータベース等から取得し、訪問者数が予め定められた数より大きければ、人気のある場所と判定する。そして、比較部１０１３は、当該人気のある場所であって、かつ、目的地からの距離または所要時間が閾値以内である場所に関連付けられている映像コンテンツを、目的地に関連付けられた映像コンテンツであると判定するようにしてもよい。
比較部１０１３は、コンテンツ検索結果を、出力処理部１０９に出力する。
【００１８】
地図データベース１０２は、施設名および施設の住所、または、緯度経度情報等を蓄積する一般的な地図データベースである。
【００１９】
メタデータデータベース１０３は、コンテンツデータベース１０６に蓄積されている１または複数の映像コンテンツのメタデータを蓄積する。メタデータの内容としては、例えば、各映像コンテンツのタイトル、出演者、および概要、各映像コンテンツに関連する場所、ならびに、各映像コンテンツ内において当該関連する場所が登場するシーンの時間的位置が含まれる。例えば、映像コンテンツが映画であれば、メタデータの内容には、映画のタイトル、出演者、および概要、映画の各シーンを撮影したロケ地、ならびに、映画内において当該各ロケ地が登場するシーンの時間的位置が含まれる。また、例えば、映像コンテンツが歴史ドキュメンタリーであれば、メタデータの内容には、歴史ドキュメンタリーのタイトル、出演者、および概要、歴史ドキュメンタリーに登場する史跡の位置、ならびに、歴史ドキュメンタリー内において当該史跡が登場するシーンの時間的位置が含まれる。
映像コンテンツ内において関連する場所が登場するシーンの時間的位置とは、映像コンテンツの再生が開始されてから、関連する場所が登場するシーンまでの経過時間をあらわす。例えば、映像コンテンツＡ内において、あるロケ地Ｂが登場するシーンの時間的位置として、１０分という情報が蓄積されていたとすると、当該ロケ地Ｂが登場するシーンの映像は、映像コンテンツＡの再生を開始後１０分に始まることをあらわす。
また、映像コンテンツのタイトル、出演者、および概要は、例えば、テキストデータとしてメタデータデータベース１０３に蓄積されている。
【００２０】
ルート検索部１０４は、目的地受付部１０７が受け付けた目的地を示す情報、および、選択受付部１０８が受け付けたコンテンツ選択結果に基づき、地図データベース１０２とメタデータデータベース１０３とを参照して、選択された映像コンテンツに関連付けられた場所を経由地として、目的地までの案内ルートを検索する。ルート検索部１０４は、検索された案内ルートの情報を、出力処理部１０９に出力する。
ルート検索部１０４は、位置取得部１０４１、関連場所取得部１０４２、および、案内ルート検索部１０４３を備える。
【００２１】
位置取得部１０４１は、目的地受付部１０７が受け付けた目的地を示す情報に基づく当該目的地の位置を、地図データベース１０２から取得する。目的地の位置は、例えば、緯度および経度であらわされる。
また、位置取得部１０４１は、関連場所取得部１０４２が取得した、各映像コンテンツに関連付けられた場所の位置を、地図データベース１０２から取得する。映像コンテンツに関連付けられた場所の位置は、例えば、緯度および経度であらわされる。
【００２２】
関連場所取得部１０４２は、選択受付部１０８が受け付けたコンテンツ選択結果を取得する。関連場所取得部１０４２は、メタデータデータベース１０３を参照して、当該コンテンツ選択結果が示す映像コンテンツに関連付けられた場所の情報を取得する。
【００２３】
案内ルート検索部１０４３は、位置取得部１０４１が取得した、目的地の位置、および、コンテンツ選択結果が示す映像コンテンツに関連付けられた場所の位置に基づき、当該場所を経由地として、目的地までの案内ルートを検索する。
案内ルート検索部１０４３は、検索された案内ルートの情報を、出力処理部１０９に出力する。
【００２４】
コンテンツ再生部１０５は、選択受付部１０８が受け付けたコンテンツ選択結果を取得する。コンテンツ再生部１０５は、当該コンテンツ選択結果が示す映像コンテンツに関する情報をコンテンツデータベース１０６から取得し、再生処理を行う。コンテンツ再生部１０５は、再生処理後の映像コンテンツを、出力処理部１０９に出力する。
コンテンツ再生部１０５は、コンテンツ取得部１０５１と、再生処理部１０５２とを備える。
【００２５】
コンテンツ取得部１０５１は、選択受付部１０８が受け付けたコンテンツ選択結果に基づき、コンテンツデータベース１０６から映像コンテンツを取得する。
再生処理部１０５２は、コンテンツ取得部１０５１が取得した映像コンテンツについて、再生処理を行い、出力処理部１０９に出力する。
【００２６】
コンテンツデータベース１０６は、１または複数の映像コンテンツを蓄積する。
目的地受付部１０７は、ユーザが入力した目的地を示す情報を受け付ける。具体的には、ユーザが、マウス、または、キーボード等の入力装置（図示省略）を用いて、目的地の名称等の入力を行い、目的地受付部１０７は、ユーザが入力装置を用いて入力した目的地の名称等を、目的地を示す情報として受け付ける。
なお、これは一例に過ぎず、入力装置をマイクとし、ユーザは、例えば、目的地の名称等を音声で入力するようにしてもよいし、入力装置をタッチパネルとし、ユーザはタッチパネルをタッチして目的地の名称等を入力するようにしてもよい。
目的地受付部１０７は、受け付けた目的地を示す情報を、コンテンツ検索部１０１およびルート検索部１０４に出力する。
【００２７】
選択受付部１０８は、出力装置２０に一覧表として表示された１または複数の映像コンテンツの中から、ユーザによって選択された１つの映像コンテンツの情報を受け付ける。具体的には、ユーザは、出力処理部１０９が出力装置２０に表示させたコンテンツ検索結果の一覧表を確認し、入力装置を用いて所望の映像コンテンツを特定する情報を入力することにより、１つの映像コンテンツを選択する。入力方法としては、例えば、ユーザは、一覧表に表示された１または複数の映像コンテンツの名称の中から、所望の映像コンテンツの名称をクリックするようにしてもよいし、所定の入力欄に所望の映像コンテンツの名称を入力するようにしてもよい。
なお、これは一例に過ぎず、入力装置をマイクとし、ユーザは、例えば、所望の映像コンテンツを特定する情報を音声で入力するようにしてもよいし、入力装置をタッチパネルとし、ユーザはタッチパネルをタッチすることで所望の映像コンテンツを特定する情報を入力するようにしてもよい。
選択受付部１０８は、ユーザが入力装置を用いて入力することにより選択した１つの映像コンテンツの情報を、コンテンツ選択結果として受け付ける。
選択受付部１０８は、コンテンツ選択結果を、ルート検索部１０４およびコンテンツ再生部１０５に出力する。
【００２８】
出力処理部１０９は、コンテンツ検索部１０１から出力されたコンテンツ検索結果を、一覧表として出力装置２０に表示させる。一覧表には、１または複数の映像コンテンツについて、例えば、各映像コンテンツの名称等、各映像コンテンツがどのようなものかをユーザが確認できるような情報が表示される。
また、出力処理部１０９は、ルート検索部１０４から出力された案内ルートの情報に基づき、案内ルートを示す映像等を出力装置２０から出力させるとともに、コンテンツ再生部１０５が再生処理を行った後の映像コンテンツを出力装置２０から出力させる。出力処理部１０９は、案内ルートおよび映像コンテンツを、映像または音声として、出力装置２０に出力させる。
【００２９】
なお、この実施の形態１では、図１に示すように、ナビゲーション装置１０が、地図データベース１０２、メタデータデータベース１０３、および、コンテンツデータベース１０６を備えるものとしたが、これに限らない。例えば、地図データベース１０２、メタデータデータベース１０３、または、コンテンツデータベース１０６は、通信インタフェースを介してクラウド上に存在するものとする等、ナビゲーション装置１０の外部に備えられるものとしてもよい。ナビゲーション装置１０が、地図データベース１０２、メタデータデータベース１０３、および、コンテンツデータベース１０６を参照できるようになっていればよい。
【００３０】
図２Ａ，図２Ｂは、この発明の実施の形態１に係るナビゲーション装置１０のハードウェア構成の一例を示す図である。
この発明の実施の形態１において、コンテンツ検索部１０１と、ルート検索部１０４と、コンテンツ再生部１０５と、目的地受付部１０７と、選択受付部１０８と、出力処理部１０９の各機能は、処理回路２０１により実現される。すなわち、ナビゲーション装置１０は、受け付けた目的地を示す情報に基づき、関連する映像コンテンツを検索する処理、または、検索された映像コンテンツのうち、ユーザによって選択された映像コンテンツに関連する場所を経由地とした目的地までの案内ルートを検索する処理の制御を行うための処理回路２０１を備える。
処理回路２０１は、図２Ａに示すように専用のハードウェアであっても、図２Ｂに示すようにメモリ２０５に格納されるプログラムを実行するＣＰＵ（Ｃｅｎｔｒａｌ  Ｐｒｏｃｅｓｓｉｎｇ  Ｕｎｉｔ）２０６であってもよい。
【００３１】
処理回路２０１が専用のハードウェアである場合、処理回路２０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。
【００３２】
処理回路２０１がＣＰＵ２０６の場合、コンテンツ検索部１０１と、ルート検索部１０４と、コンテンツ再生部１０５と、目的地受付部１０７と、選択受付部１０８と、出力処理部１０９の各機能は、ソフトウェア、ファームウェア、または、ソフトウェアとファームウェアとの組み合わせにより実現される。すなわち、コンテンツ検索部１０１と、ルート検索部１０４と、コンテンツ再生部１０５と、目的地受付部１０７と、選択受付部１０８と、出力処理部１０９は、ＨＤＤ（Ｈａｒｄ  Ｄｉｓｋ  Ｄｒｉｖｅ）２０２、メモリ２０５等に記憶されたプログラムを実行するＣＰＵ２０６、またはシステムＬＳＩ（Ｌａｒｇｅ−Ｓｃａｌｅ  Ｉｎｔｅｇｒａｔｉｏｎ）等の処理回路により実現される。また、ＨＤＤ２０２、またはメモリ２０５等に記憶されたプログラムは、コンテンツ検索部１０１と、ルート検索部１０４と、コンテンツ再生部１０５と、目的地受付部１０７と、選択受付部１０８と、出力処理部１０９の手順や方法をコンピュータに実行させるものであるとも言える。ここで、メモリ２０５とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性もしくは揮発性の半導体メモリ、磁気ディスク、フレキシブルディスク、光ディスク、コンパクトディスク、ミニディスク、またはＤＶＤ（Ｄｉｇｉｔａｌ  Ｖｅｒｓａｔｉｌｅ  Ｄｉｓｃ）等が該当する。
【００３３】
なお、コンテンツ検索部１０１と、ルート検索部１０４と、コンテンツ再生部１０５と、目的地受付部１０７と、選択受付部１０８と、出力処理部１０９の各機能について、一部を専用のハードウェアで実現し、一部をソフトウェアまたはファームウェアで実現するようにしてもよい。例えば、コンテンツ検索部１０１については専用のハードウェアとしての処理回路２０１でその機能を実現し、ルート検索部１０４と、コンテンツ再生部１０５と、目的地受付部１０７と、選択受付部１０８と、出力処理部１０９については処理回路がメモリ２０５に格納されたプログラムを読み出して実行することによってその機能を実現することが可能である。
地図データベース１０２、メタデータデータベース１０３、および、コンテンツデータベース１０６は、例えば、ＨＤＤ２０２を使用する。なお、これは一例にすぎず、地図データベース１０２、メタデータデータベース１０３、および、コンテンツデータベース１０６は、ＤＶＤ、またはメモリ２０５等によって構成されるものであってもよい。
また、ナビゲーション装置１０は、出力装置２０、または、入力装置等の外部機器との通信を行う、入力インタフェース装置２０３、および出力インタフェース装置２０４を有する。
なお、以上の説明では、ナビゲーション装置１０のハードウェア構成について、図２Ｂに示すように、ＨＤＤ２０２を使用するものとして説明したが、ＨＤＤ２０２に代えて、ＳＳＤ（Ｓｏｌｉｄ  Ｓｔａｔｅ  Ｄｒｉｖｅ）を使用するものであってもよい。
【００３４】
動作について説明する。
図３は、この発明の実施の形態１に係るナビゲーション装置１０の動作を説明するフローチャートである。
なお、以下の動作説明においては、一例として、映像コンテンツとは１本または複数本の映画であり、映像コンテンツに関連付けられた場所とは、当該各映画が撮影された１つまたは複数のロケ地であるものとする。
【００３５】
目的地受付部１０７は、ユーザが入力した目的地を示す情報を受け付ける（ステップＳＴ３０１）。目的地受付部１０７は、受け付けた目的地を示す情報を、コンテンツ検索部１０１およびルート検索部１０４に出力する。
【００３６】
コンテンツ検索部１０１は、メタデータデータベース１０３を参照し、目的地受付部１０７が受け付けた目的地を示す情報に応じて、当該目的地に関連する映像コンテンツを検索する（ステップＳＴ３０２）。ここでは、コンテンツ検索部１０１は、目的地受付部１０７が受け付けた目的地を示す情報に応じた映画を検索する。コンテンツ検索部１０１は、検索の結果、抽出された映像コンテンツに関する情報をコンテンツ検索結果として、出力処理部１０９に出力する。
なお、目的地受付部１０７が受け付ける目的地を示す情報は、１つの目的地を示す情報であることを前提とする。すなわち、ユーザは、目的地を１つ決め、当該目的地を示す情報を、入力装置を用いて入力するものとする。
【００３７】
ここで、図４は、図３のステップＳＴ３０２におけるコンテンツ検索部１０１の動作の詳細を説明するフローチャートである。
位置取得部１０１１は、目的地受付部１０７が受け付けた目的地を示す情報に基づく当該目的地の位置を、地図データベース１０２から取得する（ステップＳＴ４０１）。
【００３８】
関連場所取得部１０１２は、メタデータデータベース１０３を参照し、１または複数の映画のロケ地の情報を取得する。（ステップＳＴ４０２）。
位置取得部１０１１は、ステップＳＴ４０２において関連場所取得部１０１２が取得したすべてのロケ地の位置を、地図データベース１０２から取得する（ステップＳＴ４０３）。
【００３９】
比較部１０１３は、ステップＳＴ４０１において位置取得部１０１１が取得した目的地の位置と、ステップＳＴ４０２において位置取得部１０１１が取得した各ロケ地の位置とに基づき、目的地と各ロケ地との距離を算出する（ステップＳＴ４０４）。具体的には、比較部１０１３は、目的地の緯度および経度と、各ロケ地の緯度および経度とから、目的地と各ロケ地との距離を算出する。
【００４０】
比較部１０１３は、ステップＳＴ４０４で算出した、目的地と各ロケ地との距離が、予め設定された閾値以内であるかどうかを判定する（ステップＳＴ４０５）。
ステップＳＴ４０５において、目的地と現在の判定対象のロケ地との距離が、予め設定された閾値以内であると判定した場合（ステップＳＴ４０５の“ＹＥＳ”の場合）、比較部１０１３は、当該ロケ地に関連付けられている映像コンテンツである映画を、コンテンツ検索結果に追加する（ステップＳＴ４０６）。そして、比較部１０１３は、コンテンツ検索結果を出力処理部１０９に出力する。なお、比較部１０１３は、ロケ地に関連付けられている映像コンテンツである映画の情報を、メタデータデータベース１０３を参照して取得するようにすればよい。あるいは、ステップＳＴ４０２において、関連場所取得部１０１２がロケ地の情報を取得する際に、あわせてロケ地に関連付けられている映画の情報も取得しておき、比較部１０１３は、関連場所取得部１０１２からロケ地に関連付けられている映画の情報を取得するようにしてもよい。
【００４１】
ステップＳＴ４０６において、目的地と現在の判定対象のロケ地との距離が、予め設定された閾値以内ではないと判定した場合（ステップＳＴ４０５の“ＮＯ”の場合）、比較部１０１３は、当該ロケ地に関連付けられている映像コンテンツである映画は、映像コンテンツ検索結果には追加しない（ステップＳＴ４０７）。
【００４２】
比較部１０１３は、上述のステップＳＴ４０４〜ステップＳＴ４０７の動作を、ステップＳＴ４０２で関連場所取得部１０１２が取得したすべての映画のすべてのロケ地に対して行う。各映画について、当該映画のロケ地のうちいずれかと目的地との距離が閾値以内であれば、当該ロケ地に関連付けられている映画は、コンテンツ検索結果に追加する。各映画について、当該映画の各ロケ地と目的地との距離がいずれも閾値より大きい場合は、当該映画は、コンテンツ検索結果には追加しない。
また、ここでは、比較部１０１３は、目的地と各ロケ地との距離に基づき、関連場所取得部１０１２が取得したロケ地に関連付けられている映像コンテンツである映画をコンテンツ検索結果に追加するかどうかを判定するものとした。しかし、これは一例に過ぎず、その他の条件に基づき、各映像コンテンツである映画をコンテンツ検索結果に追加するかどうかを判定するようにしてもよい。
【００４３】
図３のフローチャートに戻る。
ステップＳＴ３０２において、コンテンツ検索部１０１からコンテンツ検索結果が出力されると、出力処理部１０９は、コンテンツ検索部１０１から出力されたコンテンツ検索結果を、一覧表として出力装置２０に表示させる（ステップＳＴ３０３）。
【００４４】
出力処理部１０９がコンテンツ検索結果を一覧表として出力装置２０に表示させると、選択受付部１０８は、表示された一覧表の中から、ユーザによって選択された１つの映像コンテンツである映画の情報を受け付ける（ステップＳＴ３０４）。選択受付部１０８は、受け付けた映画の情報を、コンテンツ選択結果として、ルート検索部１０４、および、コンテンツ再生部１０５に出力する。
【００４５】
ルート検索部１０４は、ステップＳＴ３０１において目的地受付部１０７が受け付けた目的地を示す情報、および、ステップＳＴ３０４において選択受付部１０８が受け付けたコンテンツ選択結果に基づき、地図データベース１０２とメタデータデータベース１０３とを参照して、選択された映画に関連付けられたロケ地を経由地として、目的地までの案内ルートを検索する（ステップＳＴ３０５）。ルート検索部１０４は、検索された案内ルートの情報を、出力処理部１０９に出力する。
【００４６】
ここで、図５は、図３のステップＳＴ３０５におけるルート検索部１０４の動作の詳細を説明するフローチャートである。
位置取得部１０４１は、目的地受付部１０７が受け付けた目的地を示す情報に基づく当該目的地の位置を、地図データベース１０２から取得する（ステップＳＴ５０１）。
【００４７】
関連場所取得部１０４２は、図３のステップＳＴ３０４で選択受付部１０８が受け付けたコンテンツ選択結果に基づき、メタデータデータベース１０３を参照して、当該コンテンツ選択結果が示す映画に関連付けられたロケ地の情報を取得する（ステップＳＴ５０２）。
【００４８】
位置取得部１０４１は、ステップＳＴ５０２において関連場所取得部１０４２が取得したロケ地の位置を、地図データベース１０２から取得する（ステップＳＴ５０３）。
【００４９】
案内ルート検索部１０４３は、ステップＳＴ５０１において位置取得部１０４１が取得した目的地の位置と、ステップＳＴ５０３において位置取得部１０４１が取得したロケ地の位置に基づき、ロケ地を経由地として、目的地までの案内ルートを検索する（ステップＳＴ５０４）。案内ルート検索部１０４３は、検索された案内ルートの情報を出力処理部１０９に出力する。なお、案内ルート検索部１０４３は、例えば、１つの映像コンテンツである映画に対して、当該映像コンテンツに関連付けられた場所であるロケ地が複数存在する場合には、図４のステップＳＴ４０５においてコンテンツ検索部１０１の比較部１０１３が目的地との距離が閾値以内であると判定したロケ地のみを経由地とする。目的地との距離の比較結果の情報は、コンテンツ検索部１０１から取得するようにすればよい。
【００５０】
なお、上記の説明では、位置取得部１０４１が、目的地の位置、および、選択受付部１０８が受け付けたコンテンツ選択結果が示す映画に関連付けられたロケ地の情報を取得するようにしたが（ステップＳＴ５０１，ステップＳＴ５０３）、当該目的地およびロケ地の位置は、コンテンツ検索部１０１でも取得しているため（図４のステップＳＴ４０１，ステップＳＴ４０３参照）、位置取得部１０４１が再取得せず、案内ルート検索部１０４３は、コンテンツ検索部１０１が取得した情報を利用するようにしてもよい。
【００５１】
また、上述のような動作において、例えば、関連場所取得部１０４２は、ロケ地の情報を取得する際に、メタデータデータベース１０３から、当該ロケ地に関連付けられた、当該ロケ地が登場するシーンの時間的位置を取得し（ステップＳＴ５０２）、案内ルート検索部１０４３は、当該ロケ地を通る時刻と、当該ロケ地が登場するシーンの再生時刻とが同期するような案内ルートを設定するようにしてもよい（ステップＳＴ５０４）。
【００５２】
具体的には、案内ルート検索部１０４３は、現在時刻と、ロケ地までの距離と、車速とから、ロケ地を通過する通過時刻を算出する。また、案内ルート検索部１０４３は、現在時刻と映像コンテンツにおいてロケ地が登場するシーンの時間的位置から、ロケ地が登場するシーンの再生時刻を算出する。そして、案内ルート検索部１０４３は、算出した通過時刻と再生時刻が同期するように、案内ルートを設定する。なお、案内ルート検索部１０４３は、車速を車速センサ（図示省略）から取得するようにすればよい。
【００５３】
また、案内ルート検索部１０４３は、ロケ地を通過する通過時刻と、当該ロケ地が登場するシーンの再生時刻とが同期するように案内ルートが遠回りになる場合、当該案内ルートを設定するかどうかを、ユーザに確認するようにしてもよい。具体的には、例えば、案内ルート検索部１０４３は、遠回りする案内ルートを選択するかどうかを確認するメッセージを、出力処理部１０９を介して出力装置２０に表示させ、入力装置（図示省略）にユーザからの指示を受け付けさせる。そして、入力受付部がユーザからの指示を受け付け、遠回りする案内ルートを選択するとの指示を受け付けた場合に、案内ルート検索部１０４３は、ロケ地を通る時刻と、当該ロケ地が登場するシーンの再生時刻とが同期するように遠回りする案内ルートを設定するようにしてもよい。
【００５４】
また、上述のような動作において、例えば、映像コンテンツに関連付けられたロケ地が複数存在する場合、関連場所取得部１０４２は、映像コンテンツに関連付けられた全てのロケ地の情報を取得するようにし（ステップＳＴ５０２）、案内ルート検索部１０４３は、全てのロケ地を経由して目的地に向う案内ルートを検索するようにすればよい（ステップＳＴ５０４）。なお、これは一例に過ぎず、映像コンテンツに関連付けられたロケ地が複数存在する場合、案内ルート検索部１０４３は、例えば、当該複数のロケ地を一覧にして出力処理部１０９を介して出力装置２０に表示させ、ユーザから、経由地とするロケ地を選択させるようにしてもよい。ユーザがロケ地を選択すると、入力受付部が、選択されたロケ地の情報を受け付けて案内ルート検索部１０４３に出力し、案内ルート検索部１０４３は、ユーザが選択したロケ地を経由地とする案内ルートを検索するようにしてもよい。
【００５５】
図３のフローチャートに戻る。
コンテンツ再生部１０５は、ステップＳＴ３０４において選択受付部１０８が受け付けたコンテンツ選択結果に基づき、当該コンテンツ選択結果が示す映像コンテンツである映画のデータをコンテンツデータベース１０６から取得し、再生処理を行う（ステップＳＴ３０６）。コンテンツ再生部１０５は、再生処理後の映像コンテンツを、出力処理部１０９に出力する。
【００５６】
ここで、図６は、図３のステップＳＴ３０６におけるコンテンツ再生部１０５の動作の詳細を説明するフローチャートである。
コンテンツ取得部１０５１は、ステップＳＴ３０４において選択受付部１０８が受け付けたコンテンツ選択結果に基づき、当該コンテンツ選択結果が示す映像コンテンツをコンテンツデータベース１０６から取得する（ステップＳＴ６０１）。
【００５７】
再生処理部１０５２は、ステップＳＴ６０１においてコンテンツ取得部１０５１が取得した映像コンテンツについて、再生処理を行う（ステップＳＴ６０２）。再生処理部１０５２は、再生処理を行った映像コンテンツを出力処理部１０９に出力する。
【００５８】
図３のフローチャートに戻る。
出力処理部１０９は、ステップＳＴ３０５においてルート検索部１０４が検索した案内ルートを出力装置２０から出力させるとともに、ステップＳＴ３０６においてコンテンツ再生部１０５が再生処理を行った映像コンテンツを出力装置２０から出力させる（ステップＳＴ３０７）。これにより、ユーザが所望する目的地に関連する場所を経由する案内ルートを提示して経路案内を開始するとともに、目的地に関連する映像コンテンツの提供を開始する。
出力処理部１０９は、案内ルートを、出力装置２０に、映像として表示させるものであってもよいし、音声として出力させるものであってもよい。また、出力処理部１０９は、映像コンテンツを、出力装置２０に、映像のみ表示させるものであってもよいし、音声とともに出力させるものであってもよい。
【００５９】
このように、ナビゲーション装置１０では、ユーザが入力した目的地までの案内ルートを検索する際に、映像コンテンツに関連する場所を取得して、取得した場所のうち、目的地に近い場所を判定し、当該目的地に近い場所に関連付けられた映像コンテンツを、目的地に関連する映像コンテンツとしてユーザに提示する。そして、提示された映像コンテンツの中からユーザによって選択された映像コンテンツを受け付け、当該選択された映像コンテンツに関連する場所を経由地とする案内ルートを検索しユーザに提示するとともに、ユーザによって選択された、目的地に関連する映像コンテンツをユーザに提供する。
【００６０】
なお、図３で説明した動作について、図３のフローチャートでは、ステップＳＴ３０５の処理の後にステップＳＴ３０６の処理を行うものとしたが、これに限らず、ステップＳＴ３０５の処理とステップＳＴ３０６の処理とは、並行して実行されてもよいし、ステップＳＴ３０６の処理の後にステップＳＴ３０５の処理が実行されるようにしてもよい。
【００６１】
以上のように、実施の形態１のナビゲーション装置１０は、目的地を示す情報を受け付ける目的地受付部１０７と、目的地受付部１０７が受け付けた目的地を示す情報に応じて、当該目的地を示す情報に基づく当該目的地に関連する映像コンテンツを検索するコンテンツ検索部１０１と、コンテンツ検索部１０１が検索した映像コンテンツの中から選択された映像コンテンツの情報を受け付ける選択受付部１０８と、選択受付部１０８が受け付けた映像コンテンツに関連付けられた場所を経由地として、目的地までの案内ルートを検索するルート検索部１０４と、ルート検索部１０４が検索した案内ルートを出力するとともに、当該案内ルート出力中に、選択受付部１０８が受け付けた映像コンテンツを出力する出力処理部１０９とを備えるように構成されている。このため、ナビゲーション装置１０は、設定された目的地に応じて、目的地に関連する映像コンテンツを判定し、目的地に関連する映像コンテンツに関連付けられた場所を経由地とした案内ルートを検索して提供するとともに、当該目的地に関連する映像コンテンツを提供することができる。その結果、ユーザは、目的地まで移動する際に、目的地に関連する映像コンテンツを視聴できるとともに、当該映像コンテンツに関連付けられた場所を通過することができるため、ナビゲーション装置１０は、例えば、単なる移動以上の娯楽をユーザに提供することができ、案内経路を移動中のユーザに対して、ナビゲーション装置１０が再生可能な映像コンテンツを有効に活用した情報提供ができる。
特に、近年、車両の自動運転に関する技術開発が行われており、当該自動運転化が進むと、運転手を含む車両の乗員全員が映像コンテンツを楽しめるようになる。この点からも、上述のように、案内経路を移動中のユーザに対して、ナビゲーション装置１０が再生可能な映像コンテンツを有効に活用した情報提供ができるようにすることは有意義である。
【００６２】
実施の形態２．
実施の形態１では、ナビゲーション装置１０は、ユーザによって設定された目的地に応じて、目的地に関連する映像コンテンツを検索し、検索された映像コンテンツを再生しながら、当該映像コンテンツに関連付けられた場所を経由して目的地に向う案内ルートをユーザに提供するようにしていた。
この実施の形態２では、ナビゲーション装置１０ａは、さらに、映像コンテンツの編集機能を備え、映像コンテンツの編集を行った上で、当該映像コンテンツを再生するようにする実施の形態について説明する。
【００６３】
図７は、この発明の実施の形態２に係るナビゲーション装置１０ａの構成図である。
図７に示すように、この発明の実施の形態２に係るナビゲーション装置１０ａは、図１を用いて説明した実施の形態１に係るナビゲーション装置１０とは、ルート検索部１０４ａが、通過時刻算出部１０４４をさらに備える点と、コンテンツ再生部１０５ａが、編集部１０５３をさらに備える点が異なるのみである。その他の、実施の形態１に係るナビゲーション装置１０と同様の構成については、同じ符号を付して重複した説明を省略する。
【００６４】
ルート検索部１０４ａの通過時刻算出部１０４４は、案内ルート検索部１０４３が検索した目的地までの案内ルートにおいて、経由地を通過する通過時刻を算出する。
具体的には、通過時刻算出部１０４４は、現在時刻と、経由地までの距離と、車速とに基づき、経由地を通過する通過時刻を算出する。通過時刻算出部１０４４は、現在時刻を、ナビゲーション装置１０ａが内部に有する時計から取得し、車速を、車速センサ（図示省略）から取得すればよい。
通過時刻算出部１０４４は、算出した通過時刻を、経由地の情報と紐付けて、コンテンツ再生部１０５ａに出力する。
【００６５】
コンテンツ再生部１０５ａの編集部１０５３は、コンテンツ取得部１０５１が取得した映像コンテンツと、ルート検索部１０４ａが出力した経由地の通過時刻とに基づき、経由地の通過時刻と、映像コンテンツにおいて当該経由地が登場するシーンの再生時刻とが一致するように、映像コンテンツの編集を行う。
編集部１０５３は、メタデータデータベース１０３を参照して、映像コンテンツ内において当該経由地が登場するシーンの時間的位置の情報を取得し、取得した時間的位置と、現在時刻とに基づき、映像コンテンツ内において当該経由地が登場するシーンが再生される時刻を算出するようにすればよい。
また、編集部１０５３は、例えば、特許第４８１２７３３号公報に開示されているような映像編集技術を用いて、映像コンテンツの編集を行う。なお、これは一例に過ぎず、編集部１０５３は、既存の映像編集技術を用いて映像コンテンツの編集を行うようにすればよい。
【００６６】
この発明の実施の形態２に係るナビゲーション装置１０ａのハードウェア構成については、実施の形態１において図２Ａ，図２Ｂを用いて説明したハードウェア構成と同様であるため、重複した説明を省略する。
【００６７】
動作について説明する。
この実施の形態２に係るナビゲーション装置１０ａの動作は、実施の形態１において図３を用いて説明したナビゲーション装置１０の動作と、ステップＳＴ３０５，ステップＳＴ３０６の具体的な動作内容が異なるのみである。すなわち、実施の形態１で図５，図６を用いて説明した具体的な動作が異なるのみである。よって、以下、実施の形態１とは異なる動作についてのみ説明し、実施の形態１と同様の動作については重複した説明を省略する。
また、以下の動作説明においては、実施の形態１同様、一例として、映像コンテンツとは１本または複数本の映画であり、映像コンテンツに関連付けられた場所とは、当該各映画の１つまたは複数のロケ地であるものとする。
【００６８】
図８は、実施の形態２におけるルート検索部１０４ａの動作を説明するフローチャートである。
すなわち、図８は、図３のステップＳＴ３０５に相当する動作を詳細に説明するフローチャートである。
図８において、ステップＳＴ８０１〜ステップＳＴ８０４の具体的な動作は、実施の形態１において説明した図５のステップＳＴ５０１〜ステップＳＴ５０４の具体的な動作と同様であるため、重複した説明を省略する。
通過時刻算出部１０４４は、ステップＳＴ８０４において案内ルート検索部１０４３が検索した目的地までの案内ルートにおいて、経由地である各ロケ地を通過する通過時刻を算出する（ステップＳＴ８０５）。通過時刻算出部１０４４は、算出した各ロケ地の通過時刻をコンテンツ再生部１０５ａに出力する。
【００６９】
図９は、実施の形態２におけるコンテンツ再生部１０５ａの動作を説明するフローチャートである。
すなわち、図９は、図３のステップＳＴ３０６に相当する動作を詳細に説明するフローチャートである。
図９において、ステップＳＴ９０１，ステップＳＴ９０３の具体的な動作は、実施の形態１において説明した図６のステップＳＴ６０１，ステップＳＴ６０２と同様であるため、重複した説明を省略する。
【００７０】
編集部１０５３は、ステップＳＴ９０１においてコンテンツ取得部１０５１が取得した映像コンテンツと、ルート検索部１０４ａが出力した（図８のステップＳＴ８０５参照）各ロケ地の通過時刻とに基づき、各ロケ地の通過時刻と、映像コンテンツにおいて当該各ロケ地が登場するシーンの再生時刻とが一致するように、映像コンテンツの編集を行う（ステップＳＴ９０２）。
なお、ステップＳＴ９０３において、再生処理部１０５２は、ステップＳＴ９０２で編集部１０５３が編集した後の映像コンテンツに対して、再生処理を行う。
【００７１】
以上のように、実施の形態２のナビゲーション装置１０ａは、実施の形態１のナビゲーション装置１０に対し、目的地までの案内ルートにおいて経由地を通過する通過時刻を算出する通過時刻算出部１０４４と、選択受付部１０８が受け付けた映像コンテンツを取得し、取得した映像コンテンツについて、経由地が登場するシーンの再生時刻と、通過時刻算出部１０４４が算出した当該経由地の通過時刻とが一致するように、映像コンテンツの編集を行う編集部１０５３とをさらに備え、出力処理部１０９は、編集部１０５３が編集した後の映像コンテンツを出力するように構成されている。このため、ナビゲーション装置１０ａは、各経由地の通過時に、当該各経由地が登場するシーンを再生させるようにするので、実施の形態１に比べ、より効果的に、映像コンテンツを利用した、ユーザへの情報提供ができる。また、その際、設定済の経路に合わせて再生させる映像コンテンツに含まれるシーンを編集するので、映像コンテンツに含まれるシーンの方に合わせて経路を設定する場合に比べて、目的地への移動の所要時間の増大を抑えることができる。
【００７２】
実施の形態３．
実施の形態１，２では、この発明におけるナビゲーション装置１０，１０ａが、車両に対して経路案内を行う車載ナビゲーション装置に適用された場合を説明した。
この実施の形態３では、互いに連携可能な、車載装置と、サーバと、携帯情報端末とを有するカーナビゲーションシステムにおいて、この発明におけるナビゲーション装置の各機能を、サーバ、または、携帯情報端末が有する実施の形態について説明する。
【００７３】
図１０は、この発明の実施の形態３におけるカーナビゲーションシステムの概要を示す図である。
このカーナビゲーションシステムは、車載装置１０００、携帯情報端末１００１、および、サーバ１００２を有する。携帯情報端末１００１は、スマートフォン、タブレットＰＣ、および携帯電話等のいずれの形態でもよい。
【００７４】
以下、まず、一例として、サーバ１００２がナビゲーション機能および映像コンテンツの再生処理機能を有し、案内ルートの情報および再生処理後の映像コンテンツを車載装置１０００に送信して表示させることによりユーザに提供する場合を説明する。次に、他の例として、携帯情報端末１００１がナビゲーション機能および映像コンテンツの再生処理機能を有し、案内ルートの情報および再生処理後の映像コンテンツを車載装置１０００に表示させることによりユーザに提供する場合について説明する。
【００７５】
まず、サーバ１００２がナビゲーション機能および映像コンテンツの再生処理機能を有し、その案内ルートの情報および再生処理後の映像コンテンツを車載装置１０００に送信して表示させる場合について説明する。
この場合、サーバ１００２は、上記実施の形態１，２で説明したコンテンツ検索部１０１、地図データベース１０２、メタデータデータベース１０３、ルート検索部１０４，１０４ａ、コンテンツ再生部１０５，１０５ａ、コンテンツデータベース１０６、目的地受付部１０７、選択受付部１０８を備えたナビゲーション装置１０，１０ａとして機能する。
また、車載装置１０００は、サーバ１００２と通信するための通信機能を有するとともに、サーバ１００２から受信した案内ルートの情報および再生処理後の映像コンテンツをユーザに提供するための表示部または音声出力部を少なくとも有し、出力装置２０として機能する。車載装置１０００の有する通信機能は、サーバ１００２と直接通信するか、または、携帯情報端末１００１を経由してサーバ１００２と通信することができるものであればよい。また、車載装置１０００はユーザが情報を入力するための入力装置を有していてもよい。
【００７６】
サーバ１００２は、車両から、目的地を示す情報、コンテンツ選択結果、および、車両の現在位置等の情報を取得し、コンテンツ検索結果、案内ルートの情報、および、再生処理後の映像コンテンツを車両に送信する。
車載装置１０００は、サーバ１００２から、案内ルートの情報および再生処理後の映像コンテンツを受信してユーザに提供する。
【００７７】
次に、携帯情報端末１００１がナビゲーション機能および映像コンテンツの再生処理機能を有し、案内ルートの情報および再生処理後の映像コンテンツを車載装置１０００に送信し表示させる場合について説明する。
この場合、携帯情報端末１００１は、上記実施の形態１，２で説明したコンテンツ検索部１０１、ルート検索部１０４，１０４ａ、コンテンツ再生部１０５，１０５ａ、目的地受付部１０７、選択受付部１０８を備えたナビゲーション装置１０，１０ａとして機能する。
また、ここでは、サーバ１００２が、地図データベース１０２、メタデータデータベース１０３、およびコンテンツデータベース１０６を有するとともに、携帯情報端末１００１との通信機能を有するものとする。なお、地図データベース１０２、メタデータデータベース１０３、およびコンテンツデータベース１０６については、携帯情報端末１００１が有するものとしてもよい。
また、車載装置１０００は、携帯情報端末１００１と通信するための通信機能を有するとともに、携帯情報端末１００１から受信した案内ルートの情報および再生処理後の映像コンテンツをユーザに提供するための表示部または音声出力部を少なくとも備え、出力装置２０として機能する。
【００７８】
携帯情報端末１００１は、例えば当該携帯情報端末１００１が有する入力装置（図示省略）から、目的地を示す情報、および、コンテンツ選択結果を取得するとともに、車両から当該車両の現在位置等の情報を取得し、コンテンツ検索結果、案内ルートの情報、および、再生処理後の映像コンテンツを車両に送信する。その際、携帯情報端末１００１は、サーバ１００２とも通信を行い、当該サーバ１００２内の、地図データベース１０２、メタデータデータベース１０３、およびコンテンツデータベース１０６を参照して、必要な処理を行う。
サーバ１００２は、携帯情報端末１００１と通信を行い、地図データベース１０２、メタデータデータベース１０３、およびコンテンツデータベース１０６内の情報を提供する。
車載装置１０００は、携帯情報端末１００１から、案内ルートの情報および再生処理後の映像コンテンツを受信してユーザに提供する。
実施の形態３のように構成しても、実施の形態１，２と同様な効果を得ることができる。
【００７９】
実施の形態３では、互いに連携可能な、車載装置と、サーバと、携帯情報端末とを有するカーナビゲーションシステムにおいて、この発明におけるナビゲーション装置の各機能を、サーバ、または、携帯情報端末が有する実施の形態について説明した。
しかし、これらの形態に限らず、この発明のナビゲーション装置の複数の機能を、車載装置と、サーバと、携帯情報端末とで分担して有する形態でもよい。当該複数の機能のうち、どの機能を、車載装置、サーバ、および携帯情報端末のうちのどれが有する構成とするは、この発明のナビゲーション装置の機能が実現できる範囲で任意である。
また、実施の形態１〜３では、この発明におけるナビゲーション装置が、車両に対して経路案内を行うナビゲーション装置に適用された場合を説明した。しかし、この発明のナビゲーション装置は、車両に対して経路案内を行うものに限らず、人、鉄道、船舶または航空機等の移動体に対して経路案内を行うものであってもよい。
【００８０】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８１】
この発明に係るナビゲーション装置は、案内経路を移動中のユーザに対して、ナビゲーション装置が再生可能な映像コンテンツを有効に活用した情報提供ができるように構成したため、ユーザに映像コンテンツを提供できるナビゲーション装置等に適用することができる。
【符号の説明】
【００８２】
１０，１０ａ  ナビゲーション装置、２０  出力装置、１０１  コンテンツ検索部、１０２  地図データベース、１０３  メタデータデータベース、１０４，１０４ａ  ルート検索部、１０５，１０５ａ  コンテンツ再生部、１０６  コンテンツデータベース、１０７  目的地受付部、１０８  選択受付部、２０１  処理回路、２０２  ＨＤＤ、２０３  入力インタフェース装置、２０４  出力インタフェース装置、２０５  メモリ、２０６  ＣＰＵ、１０１１，１０４１  位置取得部、１０１２，１０４２  関連場所取得部、１０１３  比較部、１０４３  案内ルート検索部、１０４４  通過時刻算出部、１０５１  コンテンツ取得部、１０５２  再生処理部、１０５３  編集部、１０００  車載装置、１００１  携帯情報端末、１００２  サーバ。
【図１】
2018116456.tif 000003
【図２】
2018116456.tif 000004
【図３】
2018116456.tif 000005
【図４】
2018116456.tif 000006
【図５】
2018116456.tif 000007
【図６】
2018116456.tif 000008
【図７】
2018116456.tif 000009
【図８】
2018116456.tif 000010
【図９】
2018116456.tif 000011
【図１０】
2018116456.tif 000012
【手続補正書】
【提出日】平成29年6月27日(2017.6.27)
【手続補正１】
【補正対象書類名】明細書
【補正対象項目名】０００７
【補正方法】変更
【補正の内容】
【０００７】
この発明に係るナビゲーション装置は、目的地を示す情報を受け付ける目的地受付部と、目的地受付部が受け付けた目的地を示す情報に応じて、当該目的地を示す情報に基づく当該目的地に関連する関連する、人気のある場所に関連付けられた映像コンテンツを検索するコンテンツ検索部と、コンテンツ検索部が検索した映像コンテンツの中から選択された映像コンテンツの情報を受け付ける選択受付部と、選択受付部が受け付けた映像コンテンツに関連付けられた場所を経由地として、目的地までの案内ルートを検索するルート検索部と、ルート検索部が検索した案内ルートを出力するとともに、当該案内ルート出力中に、選択受付部が受け付けた映像コンテンツを出力する出力処理部とを備えたものである。
【手続補正２】
【補正対象書類名】特許請求の範囲
【補正対象項目名】全文
【補正方法】変更
【補正の内容】
【特許請求の範囲】
【請求項１】
目的地を示す情報を受け付ける目的地受付部と、
前記目的地受付部が受け付けた目的地を示す情報に応じて、当該目的地を示す情報に基づく当該目的地に関連する関連する、人気のある場所に関連付けられた映像コンテンツを検索するコンテンツ検索部と、
前記コンテンツ検索部が検索した映像コンテンツの中から選択された映像コンテンツの情報を受け付ける選択受付部と、
前記選択受付部が受け付けた映像コンテンツに関連付けられた場所を経由地として、前記目的地までの案内ルートを検索するルート検索部と、
前記ルート検索部が検索した案内ルートを出力するとともに、当該案内ルート出力中に、前記選択受付部が受け付けた映像コンテンツを出力する出力処理部
とを備えたナビゲーション装置。
【請求項２】
前記選択受付部が受け付けた映像コンテンツを取得し再生処理を行う再生処理部を備え、
前記出力処理部は、前記再生処理部が再生処理を行った後の映像コンテンツを出力する
ことを特徴とする請求項１記載のナビゲーション装置。
【請求項３】
前記コンテンツ検索部は、
映像コンテンツに関連付けられた場所の情報を取得する関連場所取得部と、
前記目的地受付部が受け付けた目的地を示す情報に基づく当該目的地の位置、および、前記関連場所取得部が取得した場所の位置を取得する位置取得部と、
前記目的地の位置、および、前記映像コンテンツに関連付けられた場所の位置に基づき、前記目的地に関連する映像コンテンツを判定する比較部とを備えた
ことを特徴とする請求項１記載のナビゲーション装置。
【請求項４】
前記比較部は、
前記目的地から前記映像コンテンツに関連付けられた場所までの距離を算出し、算出した距離が閾値以内となる映像コンテンツを、前記目的地に関連付けられた映像コンテンツであると判定する
ことを特徴とする請求項３記載のナビゲーション装置。
【請求項５】
前記比較部は、
前記目的地から前記映像コンテンツに関連付けられた場所までの所要時間を算出し、算出した所要時間が閾値以内となる映像コンテンツを、前記目的地に関連する映像コンテンツであると判定する
ことを特徴とする請求項３記載のナビゲーション装置。
【請求項６】
前記ルート検索部は、
前記選択受付部が受け付けた映像コンテンツにおいて当該映像コンテンツに関連付けられた場所が登場するシーンの再生時刻と、前記映像コンテンツに関連付けられた場所を通過する通過時刻とが同期するように前記案内ルートを検索する
ことを特徴とする請求項１記載のナビゲーション装置。
【請求項７】
前記映像コンテンツに関連付けられた場所が登場するシーンの再生時刻と、前記映像コンテンツに関連付けられた場所を通過する時刻との同期要否の指示を受け付ける入力受付部を備え、
前記ルート検索部は、
前記入力受付部が同期要とする指示を受け付けた場合に、
前記選択受付部が受け付けた映像コンテンツにおいて、当該映像コンテンツに関連付けられた場所が登場するシーンの再生時刻と、前記映像コンテンツに関連付けられた場所を通過する時刻とが同期するように前記案内ルートを検索する
ことを特徴とする請求項６記載のナビゲーション装置。
【請求項８】
前記ルート検索部は、
前記選択受付部が受け付けた映像コンテンツに関連付けられた場所が複数存在する場合、当該複数の場所の一部またはすべてを経由地として前記案内ルートを検索する
ことを特徴とする請求項１記載のナビゲーション装置。
【請求項９】
前記複数の場所のうち、経由地とする場所の選択を受け付ける入力受付部を備え、
前記ルート検索部は、前記入力受付部が受け付けた場所を経由地として前記案内ルートを検索する
ことを特徴とする請求項８記載のナビゲーション装置。
【請求項１０】
前記目的地までの案内ルートにおいて前記経由地を通過する通過時刻を算出する通過時刻算出部と、
前記選択受付部が受け付けた映像コンテンツを取得し、取得した前記映像コンテンツについて、前記経由地が登場するシーンの再生時刻と、前記通過時刻算出部が算出した当該経由地の通過時刻とが一致するように、前記映像コンテンツの編集を行う編集部とをさらに備え、
前記出力処理部は、前記編集部が編集した後の映像コンテンツを出力する
ことを特徴とする請求項１記載のナビゲーション装置。
【請求項１１】
前記コンテンツ検索部は、前記ナビゲーション装置の外部から取得したコンテンツメタデータに基づき前記目的地に関連する映像コンテンツを検索し、
前記ルート検索部は、前記ナビゲーション装置の外部から取得した地図データに基づき前記目的地までの案内ルートを検索し、
前記出力処理部は、前記ナビゲーション装置の外部から取得したコンテンツデータから取得された、前記選択受付部が受け付けた映像コンテンツを出力する
ことを特徴とする請求項１記載のナビゲーション装置。
【請求項１２】
目的地受付部が、目的地を示す情報を受け付けるステップと、
コンテンツ検索部が、前記目的地受付部が受け付けた目的地を示す情報に応じて、当該目的地を示す情報に基づく当該目的地に関連する関連する、人気のある場所に関連付けられた映像コンテンツを検索するステップと、
選択受付部が、前記コンテンツ検索部が検索した映像コンテンツの中から選択された映像コンテンツの情報を受け付けるステップと、
ルート検索部が、前記選択受付部が受け付けた映像コンテンツに関連付けられた場所を経由地として、前記目的地までの案内ルートを検索するステップと、
出力処理部が、前記ルート検索部が検索した案内ルートを出力するとともに、当該案内ルートの出力中に、前記選択受付部が受け付けた映像コンテンツを出力するステップ
とを備えたナビゲーション方法。
【手続補正書】
【提出日】平成29年12月15日(2017.12.15)
【手続補正１】
【補正対象書類名】明細書
【補正対象項目名】０００７
【補正方法】変更
【補正の内容】
【０００７】
この発明に係るナビゲーション装置は、目的地を示す情報を受け付ける目的地受付部と、目的地受付部が受け付けた目的地を示す情報に応じて、当該目的地を示す情報に基づく当該目的地に関連する映像コンテンツを、前記映像コンテンツに関連する場所、及び、当該関連する場所が登場するシーンの時間的位置、の情報を含むメタデータを用いて検索するコンテンツ検索部と、コンテンツ検索部が検索した映像コンテンツの中から選択された映像コンテンツの情報を受け付ける選択受付部と、選択受付部が受け付けた映像コンテンツに関連付けられた場所を経由地として、目的地までの案内ルートを検索するルート検索部と、ルート検索部が検索した案内ルートを出力するとともに、当該案内ルート出力中に、選択受付部が受け付けた映像コンテンツを出力する出力処理部とを備えたものである。
【手続補正２】
【補正対象書類名】特許請求の範囲
【補正対象項目名】全文
【補正方法】変更
【補正の内容】
【特許請求の範囲】
【請求項１】
目的地を示す情報を受け付ける目的地受付部と、
前記目的地受付部が受け付けた目的地を示す情報に応じて、当該目的地を示す情報に基づく当該目的地に関連する映像コンテンツを、前記映像コンテンツに関連する場所、及び、当該関連する場所が登場するシーンの時間的位置、の情報を含むメタデータを用いて検索するコンテンツ検索部と、
前記コンテンツ検索部が検索した映像コンテンツの中から選択された映像コンテンツの情報を受け付ける選択受付部と、
前記選択受付部が受け付けた映像コンテンツに関連付けられた場所を経由地として、前記目的地までの案内ルートを検索するルート検索部と、
前記ルート検索部が検索した案内ルートを出力するとともに、当該案内ルート出力中に、前記選択受付部が受け付けた映像コンテンツを出力する出力処理部
とを備えたナビゲーション装置。
【請求項２】
前記選択受付部が受け付けた映像コンテンツを取得し再生処理を行う再生処理部を備え、
前記出力処理部は、前記再生処理部が再生処理を行った後の映像コンテンツを出力する
ことを特徴とする請求項１記載のナビゲーション装置。
【請求項３】
前記コンテンツ検索部は、
映像コンテンツに関連付けられた場所の情報を取得する関連場所取得部と、
前記目的地受付部が受け付けた目的地を示す情報に基づく当該目的地の位置、および、前記関連場所取得部が取得した場所の位置を取得する位置取得部と、
前記目的地の位置、および、前記映像コンテンツに関連付けられた場所の位置に基づき、前記目的地に関連する映像コンテンツを判定する比較部とを備えた
ことを特徴とする請求項１記載のナビゲーション装置。
【請求項４】
前記比較部は、
前記目的地から前記映像コンテンツに関連付けられた場所までの距離を算出し、算出した距離が閾値以内となる映像コンテンツを、前記目的地に関連付けられた映像コンテンツであると判定する
ことを特徴とする請求項３記載のナビゲーション装置。
【請求項５】
前記比較部は、
前記目的地から前記映像コンテンツに関連付けられた場所までの所要時間を算出し、算出した所要時間が閾値以内となる映像コンテンツを、前記目的地に関連する映像コンテンツであると判定する
ことを特徴とする請求項３記載のナビゲーション装置。
【請求項６】
前記ルート検索部は、
前記選択受付部が受け付けた映像コンテンツにおいて当該映像コンテンツに関連付けられた場所が登場するシーンの再生時刻と、前記映像コンテンツに関連付けられた場所を通過する通過時刻とが同期するように前記案内ルートを検索する
ことを特徴とする請求項１記載のナビゲーション装置。
【請求項７】
前記映像コンテンツに関連付けられた場所が登場するシーンの再生時刻と、前記映像コンテンツに関連付けられた場所を通過する時刻との同期要否の指示を受け付ける入力受付部を備え、
前記ルート検索部は、
前記入力受付部が同期要とする指示を受け付けた場合に、
前記選択受付部が受け付けた映像コンテンツにおいて、当該映像コンテンツに関連付けられた場所が登場するシーンの再生時刻と、前記映像コンテンツに関連付けられた場所を通過する時刻とが同期するように前記案内ルートを検索する
ことを特徴とする請求項６記載のナビゲーション装置。
【請求項８】
前記ルート検索部は、
前記選択受付部が受け付けた映像コンテンツに関連付けられた場所が複数存在する場合、当該複数の場所の一部またはすべてを経由地として前記案内ルートを検索する
ことを特徴とする請求項１記載のナビゲーション装置。
【請求項９】
前記複数の場所のうち、経由地とする場所の選択を受け付ける入力受付部を備え、
前記ルート検索部は、前記入力受付部が受け付けた場所を経由地として前記案内ルートを検索する
ことを特徴とする請求項８記載のナビゲーション装置。
【請求項１０】
前記目的地までの案内ルートにおいて前記経由地を通過する通過時刻を算出する通過時刻算出部と、
前記選択受付部が受け付けた映像コンテンツを取得し、取得した前記映像コンテンツについて、前記経由地が登場するシーンの再生時刻と、前記通過時刻算出部が算出した当該経由地の通過時刻とが一致するように、前記映像コンテンツの編集を行う編集部とをさらに備え、
前記出力処理部は、前記編集部が編集した後の映像コンテンツを出力する
ことを特徴とする請求項１記載のナビゲーション装置。
【請求項１１】
前記コンテンツ検索部は、前記ナビゲーション装置の外部から取得したコンテンツメタデータに基づき前記目的地に関連する映像コンテンツを検索し、
前記ルート検索部は、前記ナビゲーション装置の外部から取得した地図データに基づき前記目的地までの案内ルートを検索し、
前記出力処理部は、前記ナビゲーション装置の外部から取得したコンテンツデータから取得された、前記選択受付部が受け付けた映像コンテンツを出力する
ことを特徴とする請求項１記載のナビゲーション装置。
【請求項１２】
目的地受付部が、目的地を示す情報を受け付けるステップと、
コンテンツ検索部が、前記目的地受付部が受け付けた目的地を示す情報に応じて、当該目的地を示す情報に基づく当該目的地に関連する映像コンテンツを、前記映像コンテンツに関連する場所、及び、当該関連する場所が登場するシーンの時間的位置、の情報を含むメタデータを用いて検索するステップと、
選択受付部が、前記コンテンツ検索部が検索した映像コンテンツの中から選択された映像コンテンツの情報を受け付けるステップと、
ルート検索部が、前記選択受付部が受け付けた映像コンテンツに関連付けられた場所を経由地として、前記目的地までの案内ルートを検索するステップと、
出力処理部が、前記ルート検索部が検索した案内ルートを出力するとともに、当該案内ルートの出力中に、前記選択受付部が受け付けた映像コンテンツを出力するステップ
とを備えたナビゲーション方法。
【国際調査報告】
2018116456.tif 000013
2018116456.tif 000014
2018116456.tif 000015
2018116456.tif 000016